(57)【要約】 【課題】  内部の保守点検を容易に行うことができ、且つ遊技の興趣を盛り上げることのできる遊技機を提供する。【解決手段】  遊技機の本体前面を覆う前扉６１に、遊技用の役物１を配設した。役物１は前扉６１を閉じた時には、遊技機本体６２側に設けた箱型の支持部材６３によりがたつくことなく支承される。また、役物１は、球を射出する球発射ユニット１１と、発射された球をすり鉢状容器３内を周回させたのちに前記球発射ユニットに回収する球循環ユニット２と、すり鉢状容器３内の球の周回数を計測して周回数に応じた画像を表示画面に表示する計測表示ユニット４とを備えている。【選択図】    図２
2005319157.tif 000002
【特許請求の範囲】
【請求項１】
遊技機の本体前面を覆う前扉に、遊技用の役物を配設したことを特徴とする遊技機。
【請求項２】
前記役物は、前扉に揺動自在に配設されていて、遊技機本体側に設けた支持部材により支承されるものである請求項１に記載の遊技機。
【請求項３】
前記役物は、球を射出する球発射ユニットと、発射された球をすり鉢状容器内を周回させたのちに前記球発射ユニットに回収する球循環ユニットと、すり鉢状容器内の球の周回数を計測して周回数に応じた画像を表示画面に表示する計測表示ユニットとを備えていることを特徴とする請求項２に記載の遊技機。
【請求項４】
前記役物は、すり鉢状容器を少なくとも前後又は左右の何れかに傾動させる傾角調整機構を備えている請求項３に記載の遊技機。
【請求項５】
前記役物は、さらにすり鉢状容器の傾き状態を検知するための角度検知ユニットを備えている請求項３または４に記載の遊技機。
【発明の詳細な説明】
【技術分野】
【０００１】
本発明は、遊技媒体を投入して複数の絵柄列を回転させ、それらの絵柄が揃った時に遊技媒体の払い戻しを受けることができるパチスロ機などの遊技機に関するものである。
【背景技術】
【０００２】
パチスロ機などの遊技機は、メダルなどの遊技媒体を投入して複数の絵柄列を回転させて遊技を行うものである。このような遊技機として、例えば特許文献１には、窓から見える複数のリール、メダル投入口、スタートレバー、各リールに対応する複数のストップボタンが正面に配置され、上部にはトップランプ（報知手段）が３つ横に並んで設けられたパチスロ機が開示されている。このパチスロ機においてメダルを投入しスタートレバーを操作すると、リールに描かれた絵柄列が回転して遊技が始まり、遊技開始とともに制御部は内部的に抽選を行う。抽選の結果当選すると内部入賞状態となる。次に遊技者が各リールに対応するストップボタンを押すと、予め定められた所定の絵柄の組合せが窓上に表示されるように制御して絵柄列を停止する。全ての絵柄列を停止した後、窓上に現れる絵柄の組合せに応じて所定の数のメダルが払い出される。
【特許文献１】特開２００３−１１７０６５号公報（図２）
【０００３】
以上のように従来の遊技機において、通常はリール列などの役物は遊技機本体の内部に固定されているために容易に取り外すことができず、したがって、遊技機内部の保守点検が行い難い、時間がかかるという問題があった。
【発明の開示】
【発明が解決しようとする課題】
【０００４】
本発明は上記した従来の問題点を解決して、内部の保守点検を容易に行うことができる遊技機を提供するためになされたものである。
【課題を解決するための手段】
【０００５】
上記の課題を解決するためになされた本発明の遊技機は、遊技機の本体前面を覆う前扉に、遊技用の役物を配設したことを特徴とするものである。なお、前記役物は、前扉に揺動自在に配設されていて、遊技機本体側に設けた支持部材により支承されるものとすることができる。また、前記役物は、球を射出する球発射ユニットと、発射された球をすり鉢状容器内を周回させたのちに前記球発射ユニットに回収する球循環ユニットと、すり鉢状容器内の球の周回数を計測して周回数に応じた画像を表示画面に表示する計測表示ユニットとを備えているものとすることができ、前記役物は、すり鉢状容器を少なくとも前後又は左右の何れかに傾動させることができ、さらに、前記役物には、すり鉢状容器の傾き状態を検知するための角度検知ユニットを備えることができる。
【発明の効果】
【０００６】
本発明の遊技機用役物は、遊技機の本体前面を覆う前扉に、遊技用の役物を配設したので、前扉を開放したときに役物が前扉とともに遊技機本体から離脱される。よって、遊技機本体の内部の保守点検を容易に行うことができる。また、前記役物を、遊技機本体側に設けた支持部材により支承するようにしたので、役物を確実に固定して支持することができる。
【発明を実施するための最良の形態】
【０００７】
以下に図面を参照しつつ本発明の好ましい実施形態を説明する。
図１は、本発明に係る遊技機を示す正面図であって、この遊技機は、複数のリール１０１、メダル投入口１０２、スタートレバー１０３、及び各リール１０１に対応する複数のストップボタン１０４が配置され、上部にはトップランプ１０５とともに役物１が配置されている。
【０００８】
遊技機は、図２に示すように、遊技機本体６２と、この本体６２にヒンジにより開閉自在に取り付けられた前扉６１とからなる。前記役物１は前扉６１に上下に揺動自在に固定されていて、前扉６１と一体に回動する。一方、遊技機の本体６２側には役物１を支承するための箱型の支持部材６３が固定されている。そして、役物１の下部には係止片６４が設けられ、支持部材６３の底面には固定部６５が設けられており、固定部６５と係止片６４とが噛み合うことにより、役物１はがたつくことなく確実に遊技機本体６２に固定される。係止片６４は鍵またはスイッチにより上方に操作されて固定部６５とのロック解除がなされる。なお、役物１を前扉６１に遊びを設けたりして揺動自在に取り付けるのは、前扉６１にあるスタートレバー１０３やストップボタン１０４などを操作した時に生ずる振動を役物１に伝え難くするためであり、前記係止片６４と固定部６５との噛合を容易にするためでもある。
【０００９】
役物１及び支持部材６３の詳細を図３、４に示す。この役物はすり鉢状１容器内に球を周回させて、その周回数を予測したりして遊技を行うものである。この役物１は、球を射出する球発射ユニット１１、球が周回するすり鉢状容器３を有する球循環ユニット２、球の周回数を計測して表示する計測表示ユニット４、及びすり鉢状容器を傾動するための後述する傾角調整機構８を備えている。一方、支持部材６３は既記したとおりその底部に役物１を支持するための固定部６５を有する。
【００１０】
球発射ユニット１１の構成を図５に示すが、この球発射ユニット１１は、発射モータ１５と、発射モータ１５が取り付けられる球発射ボックス２０と、支軸１９に挿着される弾発射アーム１７と、発射モータ１５に軸着されるギア１８と、弾発射アーム１７が軸着されるカバー１６Ａとが一体に組み合わされたものである。すなわち、球発射ユニット１１は、球発射ボックス２０の下部入口２１から取り込んだ球を弾発射アーム１７により弾き上部出口２２から発射してすり鉢状容器３内に打込むことができる。なお、球発射ユニット１１には、原点検知用のフォトセンサー３５と、球確認用の磁気センサー３６とが配設されている。
【００１１】
球循環ユニット２は図６、７に示すような構成のものであって、すり鉢状容器３と、すり鉢状容器３を支承する取付基体９と、球回収樋９１とからなる。すり鉢状容器３内を周回した球は中央の球流出口３３から排出される。球回収樋９１はすり鉢状容器３から排出された球を受入れて、球発射ユニット１１の下側入口２１に流下させる。すり鉢状容器３の裏側にはすり鉢状容器３内の球の周回数を計測する球計数センサー４５が設けてある。また、計測表示ユニット４は、球計数センサー４５と、中継基板９４と、図５に示した７セグメントの表示画面４３と、カバー１６Ａ、１６Ｂとからなるものであって、球計数センサー４５が計数した球の周回数は中継基板９４を介して表示画面４３に表示される。
【００１２】
以上のような球発射ユニット１１、球循環ユニット２、計測表示ユニット４は、筐体６に組み付けられるが、すり鉢状容器３は傾角調整機構８により傾き角が調整される。すなわち、すり鉢状容器３の外側面には支軸３１が一対設けられており、この支軸３１が筐体６の軸穴６Ａに挿し込まれてすり鉢状容器３は傾動自在に軸支されている。そして、モータ取付台２４に固定された水平モータ２５の回転軸がすり鉢状容器３の側面を押したり、或いは引いたりするので、すり鉢状容器３は前後方向に傾動することができる。なお、図６中の２６は組み立て補助用のバネであって、前扉６１に配設された役物１を本体６２側に押しつけて、揺動自在の役物１を本体６２側に確実に固定するためのものである。
【００１３】
また、役物１は図７に示すように、すり鉢状容器３の傾きを検出する角度検知ユニット５を備えており、すり鉢状容器３の水平状態を検知することができる。すなわち、角度検知ユニット５は、取付基体９に軸着されて常に下方に垂下されている遮光部材５１と、フォトセンサー５６とからなるものであって、フォトセンサー５６が光の通過、非通過を検知することによってすり鉢状容器３の水平状態を検出する。
【００１４】
役物１の前側は図８に示すように、前枠２３と、ハーフミラーシート２８と、透明パネル２７とにより覆われている。
【００１５】
役物１の上部構造を図９に示すが、上部には筐体６から前枠２３を離脱させるためのスイッチ２９が設けられている。また、位置決め板３０には、基板３２に固定されたランプ１２、レンズ１３が取り付けられ、これらはスナップラッチ２１４によりカバー体６の上部に取り付けられているので、役物１の装飾効果を高めることができる。
【００１６】
図１に示した本発明に係る遊技機において、遊技者はメダルを投入しスタートレバー１０３を操作すると、リール１０１が回転する。リール１０１の回転開始とともに制御部は内部的に抽選を行い、抽選の結果当選すると内部入賞状態となる。次に遊技者がストップボタン１０４を順次押すと、予め定められた所定の絵柄の組合せが窓上に表示されるように制御してリール１０１が停止する。そして、窓上に現れる絵柄の組合せに応じて所定の数のメダルが払い出される。
【００１７】
上記遊技機において、役物１０６は適宜の時に球を発射してすり鉢上容器３内の球の周回数や、変動絵柄を表示画面４３に表示する。ここで、傾角調整機構８によりすり鉢状容器３を傾けて球の周回数に偶然性を付与したり、また、上記リール１０１と組合わせたりすることによってゲームの興趣を大幅に盛り上げることができる。
【００１８】
また、役物１は、遊技機の遊技が内部入賞状態となった時に球を発射して、遊技者に遊技が内部入賞状態になったことを知らせるものとすることができる。
さらに役物１は、すり鉢状容器３内の球の周回数を遊技機本体に送信して、遊技者の予想した球周回数と絵柄列の表示内容との組合わせによりビッグボーナスなどの当り判定を行うようにすることもできる。なお、役物はパチスロ機のみならずパチンコ機その他の遊技機に使用することができる。
【図面の簡単な説明】
【００１９】
【図１】本発明に係る遊技機の正面図である。
【図２】開放された前扉と遊技機本体を示す側面図である。
【図３】役物の斜視図である。
【図４】役物支承用の支持部材である。
【図５】役物の球発射ユニット周辺の構造を示す分解斜視図である。
【図６】役物のすり鉢状容器周辺の構造を示す分解斜視図である。
【図７】すり鉢状容器下部の構造を示す分解斜視図である。
【図８】前側枠体周辺の構造を示す分解斜視図である。
【図９】役物の上部構造を示す分解斜視図である。
【符号の説明】
【００２０】
１  役物
２  球循環ユニット
３  すり鉢状容器
４  計測表示ユニット
６１  前扉
６２  遊技機本体
６３  支持部材
【図１】
2005319157.tif 000003
【図２】
2005319157.tif 000004
【図３】
2005319157.tif 000005
【図４】
2005319157.tif 000006
【図５】
2005319157.tif 000007
【図６】
2005319157.tif 000008
【図７】
2005319157.tif 000009
【図８】
2005319157.tif 000010
【図９】
2005319157.tif 000011